(57)【要約】  携帯端末装置１は、自機の方向が変更すると、ディスプレイに表示する画像の下方向が鉛直下方向に沿う方向となるように、ディスプレイに対する画像の方向を回転させる機能である画面回転機能を備えている。携帯端末装置１は、ユーザの指のタッチが検出されていない間は、画面回転機能をＯＮ状態とし、ユーザの指のタッチが検出されている間は、画面回転機能をＯＦＦ状態とする。ユーザは、画面回転機能を使いたくない場合、単にディスプレイに対するタッチを維持するだけでよく、再び画面回転機能を使いたい場合、単に維持していたタッチを離すだけでよい。
2014030455.tif 000002
【特許請求の範囲】
【請求項１】
表示面に画像を表示する表示部と、
前記表示面に対するポインタの接触又は近接を検出する接触検出部と、
基準方向に対する前記表示面の傾きを検出する傾き検出部と、
前記表示部における画像の方向を決定する制御部と
を備え、
前記制御部は、前記接触検出部がポインタの接触又は近接を検出しているという第１の条件が満たされているか否かに基づき、前記傾き検出部が検出する前記表示面の傾き度合いに応じた、前記表示面における画像の方向の変更を行うか否かを決定する
装置。
【請求項２】
前記制御部は、前記接触検出部がポインタの接触又は近接を検出しているという条件を必須条件として含む前記第１の条件が満たされている間は、前記傾き検出部が検出する前記表示面の傾き度合いの如何にかかわらず前記表示面における画像の方向の変更を行なわず、前記第１の条件が満たされていない間は、前記傾き検出部が検出する前記表示面の傾き度合いに応じた、前記表示面における画像の方向の変更を行なう
請求項１に記載の装置。
【請求項３】
前記接触検出部は、前記表示面に対するポインタの接触における押圧力を示す指標値を特定し、
前記第１の条件は、前記接触検出部が特定している前記指標値が予め定められた閾値以上の押圧力を示すという条件を含む
請求項１または２に記載の装置。
【請求項４】
前記接触検出部は、前記表示面におけるポインタの接触又は近接の位置を特定し、
前記第１の条件は、前記接触検出部が特定している前記接触又は近接の位置が前記表示面内の予め定められた領域内であるという条件を含む
請求項１乃至３のいずれか１項に記載の装置。
【請求項５】
表示面に画像を表示する表示部と、
前記表示面に対するポインタの接触又は近接を検出するとともに、ポインタの接触を検出した場合は当該接触における押圧力を示す指標値を特定する接触検出部と、
基準方向に対する前記表示面の傾きを検出する傾き検出部と、
前記表示部における画像の方向を決定する制御部と
を備え、
前記制御部は、第１のモードにおいて、前記接触検出部がポインタの接触又は近接を検出しているという第１の条件が満たされているか否かに基づき、前記傾き検出部が検出する前記表示面の傾き度合いに応じた、前記表示面における画像の方向の変更を行なうか否かを決定し、
前記制御部は、第２のモードにおいて、前記表示面における画像の方向の変更を行なわず、
前記制御部は、前記第１のモードにおいて、前記接触検出部が予め定められた閾値以上の押圧力を示す前記指標値を特定した場合、前記第２のモードに移行する
装置。
【請求項６】
前記制御部は、前記第１のモードにおいて、前記接触検出部がポインタの接触又は近接を検出しているという条件を必須条件として含む前記第１の条件が満たされている間は、前記傾き検出部が検出する前記表示面の傾き度合いの如何にかかわらず前記表示面における画像の方向の変更を行なわず、前記第１の条件が満たされていない間は、前記傾き検出部が検出する前記表示面の傾き度合いに応じた、前記表示面における画像の方向の変更を行なう
請求項５に記載の装置。
【請求項７】
前記接触検出部は、前記表示面におけるポインタの接触又は近接の位置を特定し、
前記制御部は、前記第２のモードにおいて、前記接触検出部が特定した接触の位置が前記表示面の予め定められた領域内におけるポインタのスライドを示す場合、前記第２のモードに移行する
請求項５または６に記載の装置。
【請求項８】
表示面に画像を表示する表示部と、前記表示面に対するポインタの接触又は近接を検出する接触検出部と、基準方向に対する前記表示面の傾きを検出する傾き検出部とを備えるコンピュータに
前記接触検出部がポインタの接触又は近接を検出しているという第１の条件が満たされているか否かに基づき、前記傾き検出部が検出する前記表示面の傾き度合いに応じた、前記表示面における画像の方向の変更を行なうか否かを決定する処理
を実行させるためのプログラム。
【請求項９】
表示面に画像を表示する表示部と、前記表示面に対するポインタの接触又は近接を検出するとともに、ポインタの接触を検出した場合は当該接触における押圧力を示す指標値を特定する接触検出部と、基準方向に対する前記表示面の傾きを検出する傾き検出部とを備えるコンピュータに
第１のモードにおいて、前記接触検出部がポインタの接触又は近接を検出しているという第１の条件が満たされているか否かに基づき、前記傾き検出部が検出する前記表示面の傾き度合いに応じた、前記表示面における画像の方向の変更を行なうか否かを決定する処理を実行させ、
第２のモードにおいて、前記表示面における画像の方向の変更を行なわせず、
前記第１のモードにおいて、前記接触検出部が予め定められた閾値以上の押圧力を示す前記指標値を特定した場合、前記第２のモードに移行させるための
プログラム。
【発明の詳細な説明】
【技術分野】
【０００１】
本発明は、装置の傾きに応じて当該装置が表示する画像の方向を制御する技術に関する。
【背景技術】
【０００２】
鉛直下方向に対する携帯端末装置の傾きに応じて、携帯端末装置のディスプレイに表示される画像の向きを自動的に変更する機能（以下、「画面回転機能」という）を備えた携帯端末装置が知られている。【０００３】
図１は、画面回転機能を備えた従来技術にかかる携帯端末装置９において画像が表示される様子を示した図である。図１において、図の下方は鉛直下方向を示す。また、以下、携帯端末装置の方向を説明するにあたり、図１（ａ）に示される携帯端末装置９のように長方形のディスプレイの長辺が上下方向に沿う状態の携帯端末装置を「縦長方向の状態」といい、図１（ｂ）に示される携帯端末装置９のようにディスプレイの短辺が上下方向に沿う状態の携帯端末装置を「横長方向の状態」という。また、ディスプレイ上の特定の位置や方向を示す場合、縦長方向の状態におけるディスプレイの左下角を原点とし、上方向をｙ軸正方向、右方向をｘ軸正方向とする座標系に従うものとする。【０００４】
画面回転機能がＯＮ状態の場合、図１（ａ）（ｂ）に示されるように、携帯端末装置９が縦長方向の状態、横長方向の状態のいずれにおいても、携帯端末装置９は画像の上下方向が鉛直方向に沿った方向となるように画像を表示する。すなわち、携帯端末装置９は、縦長方向の状態（図１（ａ））においては画像の上下方向がｙ軸方向に沿うように、また横長方向の状態（図１（ｂ））においては画像の上下方向がｘ軸方向に沿うように、画像を表示する。従って、例えば携帯端末装置９が縦長方向の状態（図１（ａ））から反時計回りに回転されて概ね横長方向の状態（図１（ｂ））になった場合、携帯端末装置９はディスプレイに対する画像の方向を時計回りに９０度回転させる。【０００５】
上記のように画像回転機能を備えた携帯端末装置９によれば、ユーザは携帯端末装置９を縦長方向の状態、横長方向の状態のいずれの向きに持っても、画像が正立した状態で画像を観ることができる。【０００６】
上記のように、携帯端末装置の傾きに応じて、ディスプレイに表示される画像の向きを調整する技術を開示した文献として、例えば特許文献１がある。特許文献１には、装置自身の傾き角度を検知して、文字列と画像（図形）とを含む情報を表示画面に表示する際、例えば文字列のみ、検知した装置自身の傾き角度に応じて回転し、正立させた状態で表示する情報表示装置が開示されている。
【先行技術文献】
【特許文献】
【０００７】
【特許文献１】特開２００３−２１６１３５号公報
【発明の概要】
【発明が解決しようとする課題】
【０００８】
画面回転機能を備える携帯端末装置による場合、表示される画像（以下、本願において「画像」とは広くディスプレイに表示される情報のことを意味し、その情報の種別は図形、文字、記号等のいずれをも含む）の方向がユーザの希望する方向と一致しない場合がある。例えば、ユーザが、ディスプレイの表示面が概ね水平面と平行になるように携帯端末装置を持った場合、画面回転機能がＯＮ状態であると、ディスプレイのｘ軸方向およびｙ軸方向のわずかな傾きの変化に応じて、ユーザの意図に反して画像の表示の方向が変わってしまう場合がある。また、例えばユーザが寝そべった状態で携帯端末装置のディスプレイを観るような場合、水平方向がユーザにとって正立した方向となるため、画面回転機能が働くと、表示の方向が調整された画像はユーザにとって転倒した方向となり、ユーザにとってむしろ見にくい。【０００９】
上記の不都合を解消するために、ユーザは画面回転機能を停止させる操作を行なう必要がある。例えば、従来技術にかかる携帯端末装置のあるものは、画面回転機能を停止させるための操作子をハードウェアとして備えており、ユーザはその操作子を操作することにより、画面回転機能のＯＮ、ＯＦＦを行なうことができる。また、従来技術にかかる携帯端末装置のあるものは、画面回転機能を停止させるための仮想的な操作子をディスプレイに画像として表示し、ユーザはその操作子に対しタッチ操作等の操作を行なうことにより、画面回転機能のＯＮ、ＯＦＦを行なうことができる。【００１０】
上記のような画像回転機能をＯＮ、ＯＦＦするための操作子に対する操作がユーザにとって煩わしい場合がある。例えば、自分が観ていた画像を、携帯端末装置を持ったまま、他人に数秒〜数十秒程の僅かな時間だけ見せたいような場合、ユーザは相手に見やすいように携帯端末装置の向きを変える。その際、画面回転機能によりユーザが意図せぬ方向に画像の方向が変わることがあるため、画像回転機能はＯＦＦにするのが望ましいが、多くのユーザにとって、数秒〜数十秒程の僅かな時間のために操作子を操作して画面回転機能をＯＦＦすることは煩わしい。【００１１】
本発明は上記の事情に鑑み、従来技術と比較して、ユーザがより簡便に画面回転機能のＯＮ、ＯＦＦを行なうことを可能とする手段を提供することを目的とする。
【課題を解決するための手段】
【００１２】
本発明は、一の態様において、表示面に画像を表示する表示部と、前記表示面に対するポインタの接触又は近接を検出する接触検出部と、基準方向に対する前記表示面の傾きを検出する傾き検出部と、前記表示部における画像の方向を決定する制御部とを備え、前記制御部は、前記接触検出部がポインタの接触又は近接を検出しているという第１の条件が満たされているか否かに基づき、前記傾き検出部が検出する前記表示面の傾き度合いに応じた、前記表示面における画像の方向の変更を行うか否かを決定する装置を提供する。【００１３】
また、本発明の好ましい一態様において、前記制御部は、前記接触検出部がポインタの接触又は近接を検出しているという条件を必須条件として含む前記第１の条件が満たされている間は、前記傾き検出部が検出する前記表示面の傾き度合いの如何にかかわらず前記表示面における画像の方向の変更を行なわず、前記第１の条件が満たされていない間は、前記傾き検出部が検出する前記表示面の傾き度合いに応じた、前記表示面における画像の方向の変更を行なう、という構成が採用されてもよい。【００１４】
また、本発明の好ましい一態様において、前記接触検出部は、前記表示面に対するポインタの接触における押圧力を示す指標値を特定し、前記第１の条件は、前記接触検出部が特定している前記指標値が予め定められた閾値以上の押圧力を示すという条件を含む、という構成が採用されてもよい。【００１５】
また、本発明の好ましい一態様において、前記接触検出部は、前記表示面におけるポインタの接触又は近接の位置を特定し、前記第１の条件は、前記接触検出部が特定している前記接触又は近接の位置が前記表示面内の予め定められた領域内であるという条件を含む、という構成が採用されてもよい。【００１６】
また、本発明は、他の観点において、表示面に画像を表示する表示部と、前記表示面に対するポインタの接触又は近接を検出するとともに、ポインタの接触を検出した場合は当該接触における押圧力を示す指標値を特定する接触検出部と、基準方向に対する前記表示面の傾きを検出する傾き検出部と、前記表示部における画像の方向を決定する制御部とを備え、前記制御部は、第１のモードにおいて、前記接触検出部がポインタの接触又は近接を検出しているという第１の条件が満たされているか否かに基づき、前記傾き検出部が検出する前記表示面の傾き度合いに応じた、前記表示面における画像の方向の変更を行なうか否かを決定し、前記制御部は、第２のモードにおいて、前記表示面における画像の方向の変更を行なわず、前記制御部は、前記第１のモードにおいて、前記接触検出部が予め定められた閾値以上の押圧力を示す前記指標値を特定した場合、前記第２のモードに移行する装置を提供する。【００１７】
また、本発明の好ましい一態様において、前記制御部は、前記第１のモードにおいて、前記接触検出部がポインタの接触又は近接を検出しているという条件を必須条件として含む前記第１の条件が満たされている間は、前記傾き検出部が検出する前記表示面の傾き度合いの如何にかかわらず前記表示面における画像の方向の変更を行なわず、前記第１の条件が満たされていない間は、前記傾き検出部が検出する前記表示面の傾き度合いに応じた、前記表示面における画像の方向の変更を行なう、という構成が採用されてもよい。【００１８】
また、本発明の好ましい一態様において前記接触検出部は、前記表示面におけるポインタの接触又は近接の位置を特定し、前記制御部は、前記第２のモードにおいて、前記接触検出部が特定した接触の位置が前記表示面の予め定められた領域内におけるポインタのスライドを示す場合、前記第２のモードに移行する、という構成が採用されてもよい。【００１９】
また、本発明は、他の観点において、表示面に画像を表示する表示部と、前記表示面に対するポインタの接触又は近接を検出する接触検出部と、基準方向に対する前記表示面の傾きを検出する傾き検出部とを備えるコンピュータに前記接触検出部がポインタの接触又は近接を検出しているという第１の条件が満たされているか否かに基づき、前記傾き検出部が検出する前記表示面の傾き度合いに応じた、前記表示面における画像の方向の変更を行なうか否かを決定する処理を実行させるプログラムを提供する。【００２０】
また、本発明は、他の観点において、表示面に画像を表示する表示部と、前記表示面に対するポインタの接触又は近接を検出するとともに、ポインタの接触を検出した場合は当該接触における押圧力を示す指標値を特定する接触検出部と、基準方向に対する前記表示面の傾きを検出する傾き検出部とを備えるコンピュータに第１のモードにおいて、前記接触検出部がポインタの接触又は近接を検出しているという第１の条件が満たされているか否かに基づき、前記傾き検出部が検出する前記表示面の傾き度合いに応じた、前記表示面における画像の方向の変更を行なうか否かを決定する処理を実行させ、第２のモードにおいて、前記表示面における画像の方向の変更を行なわせず、前記第１のモードにおいて、前記接触検出部が予め定められた閾値以上の押圧力を示す前記指標値を特定した場合、前記第２のモードに移行させるプログラムを提供する。
【発明の効果】
【００２１】
本発明によれば、従来技術にかかる装置と比較して、ユーザはより簡便に画面回転機能のＯＮ、ＯＦＦを行なうことができる。
【図面の簡単な説明】
【００２２】
【図１】画面回転機能を備えた携帯端末装置において画像が表示される様子を示した図である。
【図２】本発明の第１実施形態にかかる携帯端末装置において画像が表示される様子を示した図である。
【図３】本発明の第１実施形態にかかる携帯端末装置のハードウェア構成の概要を示した図である。
【図４】本発明の第１実施形態にかかる携帯端末装置の機能構成を示した図である。
【図５】本発明の第１実施形態にかかる携帯端末装置の傾き検出部が算出するｘ軸仰角とｙ軸仰角を示した図である。
【図６】本発明の第１実施形態にかかる携帯端末装置の制御部が行なう処理を示した図である。
【図７】本発明の第２実施形態にかかる携帯端末装置において画像が表示される様子を示した図である。
【図８】本発明の第２実施形態にかかる携帯端末装置において画像が表示される様子を示した図である。
【図９】本発明の第２実施形態にかかる携帯端末装置の制御部が行なう処理を示した図である。
【図１０】本発明の第３実施形態にかかる携帯端末装置において画像が表示される様子を示した図である。
【図１１】本発明の第３実施形態にかかる携帯端末装置において画像が表示される様子を示した図である。
【図１２】本発明の第３実施形態にかかる携帯端末装置の制御部が行なう処理を示した図である。
【図１３Ａ】本発明の第４実施形態にかかる携帯端末装置において画像が表示される様子を示した図である。
【図１３Ｂ】本発明の第４実施形態にかかる携帯端末装置において画像が表示される様子を示した図である。
【図１４】本発明の第４実施形態にかかる携帯端末装置の制御部が行なう処理を示した図である。
【図１５】本発明の実施形態にかかる携帯端末装置において画像が表示される様子を示した図である。
【図１６】本発明の実施形態にかかる携帯端末装置において画像が表示される様子を示した図である。
【図１７】本発明の実施形態にかかる携帯端末装置において画像が表示される様子を示した図である。
【符号の説明】
【００２３】
１…携帯端末装置、２…携帯端末装置、３…携帯端末装置、４…携帯端末装置、９…携帯端末装置、１１…メモリ、１２…ＣＰＵ、１３…ディスプレイ、１４…タッチセンサ、１５…傾きセンサ、１６…通信ＩＦ、１９…バス、１０１…データ取得部、１０２…記憶部、１０３…表示部、１０４…制御部、１０５…接触検出部、１０６…傾き検出部
【発明を実施するための形態】
【００２４】
［第１実施形態］
以下に、図面を参照しながら本発明の第１実施形態にかかる携帯端末装置１の動作の画面回転機能のＯＮ、ＯＦＦの仕組みを説明する。携帯端末装置１は、ディスプレイにユーザの指がタッチされていない状態においては、画面回転機能をＯＮ状態とし、図１に示した従来技術にかかる携帯端末装置９と同様に動作する。すなわち、携帯端末装置１の回転に伴い、携帯端末装置１は画像の下方向が鉛直下方向に沿うように、ディスプレイに対し携帯端末装置１の回転の方向と反対方向に９０度単位で画像を回転して表示する。
【００２５】
一方、携帯端末装置１は、ディスプレイにユーザの指がタッチされている間は画面回転機能をＯＦＦ状態とし、ディスプレイに対する画像の方向の変更を行なわず、指がタッチされた時点における画像のディスプレイに対する表示の方向を維持する。
【００２６】
図２は携帯端末装置１において、ディスプレイにユーザの指がタッチされている状態において、画像が表示される様子を示した図である。図２（ａ）に示されるように、携帯端末装置１が縦長方向の状態においてユーザが指をディスプレイにタッチさせると、画面回転機能がＯＦＦ状態になり、その時点における画像の表示の方向、すなわち画像の上方向がディスプレイのｙ軸正方向に沿った方向で固定される。その後、ユーザが指のタッチを維持しながら、例えば図２（ｂ）に示すように、携帯端末装置１を反時計回りに回転させて概ね横長方向の状態にすると、画面回転機能がＯＦＦ状態であるため、ディスプレイに対する画像の方向は変わらず、画像が転倒した状態で表示される。
【００２７】
携帯端末装置１が図２（ｂ）に示される状態において、ユーザがディスプレイから指を離すと、携帯端末装置１は画面回転機能をＯＮ状態とする。従って、この場合、図２（ｃ）に示すように、携帯端末装置１は画像の下方向が鉛直下方向、すなわちディスプレイのｘ軸負方向に沿うように、ディスプレイに対する画像の方向を変更する。
【００２８】
また、図２（ｄ）に示されるように、携帯端末装置１が横長方向（ｙ軸正方向が左方向）の状態においてユーザが指をディスプレイにタッチさせると、画面回転機能がＯＦＦ状態になり、その時点における画像の表示の方向、すなわち画像の上方向がディスプレイのｘ軸正方向に沿った方向で固定される。その後、ユーザが指のタッチを維持しながら、例えば図２（ｅ）に示すように、携帯端末装置１を時計回りに回転させて概ね縦長方向の状態にすると、画面回転機能がＯＦＦ状態であるため、ディスプレイに対する画像の方向は変わらず、画像が転倒した状態で表示される。
【００２９】
携帯端末装置１が図２（ｅ）に示される状態において、ユーザがディスプレイから指を離すと、携帯端末装置１は画面回転機能をＯＮ状態とする。従って、この場合、図２（ｆ）に示すように、携帯端末装置１は画像の下方向が鉛直下方向、すなわちディスプレイのｙ軸負方向に沿うように、ディスプレイに対する画像の方向を変更する。
【００３０】
このように、携帯端末装置１によれば、ユーザはディスプレイに対するタッチを維持（以下、ディスプレイに対するタッチを維持することを「ホールド」という）することにより画面回転機能をＯＦＦし、維持していたタッチを離す（以下、ディスプレイに対するタッチの維持を解除することを「ホールドのリリース」という）ことにより画面回転機能をＯＮすることができる。なお、画面回転機能をＯＦＦするためにホールドし、画面回転機能をＯＮするためにホールドをリリースする、という操作は、ディスプレイに表示されている画像を仮想的に指で押さえて動かなくする操作として、ユーザにとって直感的に理解しやすい操作である。
【００３１】
上記のような仕組みを備える携帯端末装置１の構成を以下に説明する。図３は携帯端末装置１のハードウェア構成の概要を示した図である。携帯端末装置１のハードウェア構成は、いわゆるタッチパネルと自機の傾きを特定するセンサを備えた汎用的なコンピュータである。すなわち、携帯端末装置１はそのハードウェア構成として、各種データを記憶するＲＡＭ、ＲＯＭ、ＳＳＤ（Solid State Drive）等で構成されるメモリ１１と、各種データ処理を行なうとともに携帯端末装置１の他の構成部を制御するＣＰＵ１２と、画像を表示する液晶ディスプレイ等のディスプレイ１３と、ディスプレイ１３の表示面に対するユーザの指の接触を感知する静電式タッチセンサ等のタッチセンサ１４と、携帯端末装置１の鉛直下方向に対する傾きを特定する３軸加速度センサ等の傾きセンサ１５と、無線もしくは有線により外部の装置との間で各種データの受け渡しを行なうインタフェースである通信ＩＦ１６とを備えている。なお、これらの構成部はバス１９を介して互いに接続されている。
【００３２】
ディスプレイ１３とタッチセンサ１４はタッチパネルを構成し、ディスプレイ１３に表示されている画像に対しユーザが指をタッチさせると、タッチセンサ１４は指が接触している領域（以下、「接触領域」という）内の座標群を特定し、出力する。ＣＰＵ１２はタッチセンサ１４から出力される座標群に基づき、接触領域の重心および面積を算出する。このように算出される重心は表示面における指の接触位置を示し、面積は接触における指の押圧の強さを示す指標値として使用される。
【００３３】
傾きセンサ１５は鉛直下方向を基準方向とし、ディスプレイ１３のｘ軸正方向、ｙ軸正方向およびそれらに直行しディスプレイ１３からユーザに向かう方向であるｚ軸正方向の各々の角度を示す傾きデータを出力する。
【００３４】
図３に示したハードウェア構成を備える携帯端末装置１は、メモリ１１に記憶されている本実施形態にかかるプログラムに従った処理を実行することにより、図４に示す機能構成を備える装置として動作する。携帯端末装置１は機能構成部として、外部の装置から画像データもしくは画像データを生成するために用いられる各種データを取得するデータ取得部１０１、データ取得部１０１が取得したデータを含む各種データを記憶する記憶部１０２、画像データに従い各種画像を表示する表示部１０３、表示部１０３に対する画像の表示を指示するとともに他の機能構成部の制御を行なう制御部１０４、表示部１０３が画像を表示する表示面に対するユーザの指の接触を感知する接触検出部１０５、携帯端末装置１の鉛直下方向に対する傾きを特定する傾き検出部１０６を備えている。以下、携帯端末装置１の表示面における位置および方向を示す場合、上述した携帯端末装置９のディスプレイにおける座標系と同様の座標系を用いる。
【００３５】
傾き検出部１０６は、傾きセンサ１５から出力される傾きデータに基づき、表示部１０３の表示面のｘ軸方向が水平面に対しなす角度（以下、「ｘ軸仰角θx」という）と、表示部１０３の表示面のｙ軸方向が水平面に対しなす角度（以下、「ｙ軸仰角θy」という）とを特定する。図５は、ｘ軸仰角θxとｙ軸仰角θyを示した図である。
【００３６】
制御部１０４は、接触検出部１０５により感知される接触の有無および傾き検出部１０６により特定されるｘ軸仰角θxとｙ軸仰角θyに従い、表示部１０３に対し表示面に対する画像の表示の方向を指示する。図６は、制御部１０４が表示部１０３に対し画像の表示の方向を指示するために行なう一連の処理を示した図である。
【００３７】
まず、制御部１０４は傾き検出部１０６により十分に短い時間間隔（例えば０．１秒間隔）で継続的に算出されるｘ軸仰角θxとｙ軸仰角θyを監視し、それらのいずれかの変化を検出すると（ステップＳ００１）、その時点で接触検出部１０５によりタッチが感知されているか否かを判定する（ステップＳ００２）。
【００３８】
ステップＳ００２における判定において、接触検出部１０５によりタッチが感知されていると判定した場合、制御部１０４は表示部１０３に対し特段の指示を行なわない。その結果、表示面に対する画像の方向は維持される。一方、ステップＳ００２における判定において、接触検出部１０５によりタッチが感知されていないと判定した場合（ステップＳ００２；Ｎｏ）、制御部１０４は続いて、ｘ軸仰角θxとｙ軸仰角θyの絶対値の比較を行う（ステップＳ００３）。
【００３９】
ステップＳ００３の判定において、ｘ軸仰角θxとｙ軸仰角θyの絶対値が同一であると判定した場合、制御部１０４は表示部１０３に対し特段の指示を行なわない。その結果、表示面に対する画像の方向は維持される。一方、ステップＳ００３の判定において、ｙ軸仰角θyの絶対値がｘ軸仰角θxの絶対値より大きいと判定した場合（ステップＳ００３；１）、制御部１０４は続いて、ｙ軸仰角θyの符号を判定する（ステップＳ００４）。ｙ軸仰角θyの符号が正である場合（ステップＳ００４；１）、制御部１０４は表示部１０３に対し、画像の上方向が表示面のｙ軸正方向に沿うように画像の表示の方向の変更を指示する（ステップＳ００５）。また、ｙ軸仰角θyの符号が負である場合（ステップＳ００４；２）、制御部１０４は表示部１０３に対し、画像の上方向が表示面のｙ軸負方向に沿うように画像の表示の方向の変更を指示する（ステップＳ００６）。その結果、画像の上下方向がｙ軸方向に沿って正立するように画像の方向が調整される。
【００４０】
ステップＳ００３の判定において、ｘ軸仰角θxの絶対値がｙ軸仰角θyの絶対値より大きいと判定した場合（ステップＳ００３；２）、制御部１０４は続いて、ｘ軸仰角θxの符号を判定する（ステップＳ００７）。ｘ軸仰角θxの符号が正である場合（ステップＳ００７；１）、制御部１０４は表示部１０３に対し、画像の上方向が表示面のｘ軸正方向に沿うように画像の表示の方向の変更を指示する（ステップＳ００８）。また、ｘ軸仰角θxの符号が負である場合（ステップＳ００７；２）、制御部１０４は表示部１０３に対し、画像の上方向が表示面のｘ軸負方向に沿うように画像の表示の方向の変更を指示する（ステップＳ００９）。その結果、画像の上下方向がｘ軸方向に沿って正立するように画像の方向が調整される。
【００４１】
制御部１０４は上述したｘ軸仰角θxとｙ軸仰角θyの監視に加え、接触検出部１０５により感知されるタッチの有無を監視している。制御部１０４は接触検出部１０５によりタッチが感知されている状態からタッチが感知されない状態に変化した場合、すなわちホールドのリリースを検出した場合（ステップＳ１０１）も、上述のステップＳ００３〜ステップＳ００９の処理を行なう。その結果、ホールドのリリースに伴い、画像の下方向が鉛直下方向に沿うように、その時点における携帯端末装置１の方向に応じて表示面に対する画像の表示の方向が調整される。
【００４２】
上述した制御部１０４の処理により表示部１０３に対し与えられる指示に従い、表示部１０３が画像の方向を調整して表示することにより、ユーザの指により表示面がホールドされている間は画面回転機能がＯＦＦ状態となり、ホールドを開始した時点における画像の表示面に対する方向が維持され、ユーザの指により表示面がホールドされていない間は画面回転機能がＯＮ状態となり、携帯端末装置１の方向の変化に伴い画像の下方向が鉛直下方向に沿うように、表示面に対する画像の表示の方向が調整される。
【００４３】
［第２実施形態］
以下に本発明の第２実施形態にかかる携帯端末装置２を説明する。携帯端末装置２は携帯端末装置１と多くの点で共通しているため、以下に携帯端末装置２が携帯端末装置１と異なる点を中心に説明する。また、携帯端末装置２が携帯端末装置１と共通して備える構成部に対しては、携帯端末装置１の説明において用いた符号を用いる。
【００４４】
携帯端末装置１は、ユーザの指により表示面がホールドされている間、そのホールドの強さの大小にかかわらず画面回転機能をＯＦＦする構成が採用されている。これに対し、携帯端末装置２は、ユーザの指により表示面がホールドされている強さが予め定められた強さ以上である間、画面回転機能をＯＦＦし、ユーザの指により表示面がホールドされていない間に加え、ホールドされていてもその強さが予め定められた強さ未満である間、画面回転機能をＯＮする。
【００４５】
図７および図８は、携帯端末装置２において画像が表示される様子を示した図である。図７はユーザの指により表示面がホールドされているが、そのホールドにおける強さが通常程度の強さ、すなわちユーザが携帯端末装置２を保持するために要する程度の強さである場合を示している。この場合、画面回転機能はＯＮ状態となり、携帯端末装置２の方向の変化に伴い、画像の下方向が鉛直下方向に沿うように、画像の表示の方向が変更される。
【００４６】
図８はユーザが表示面をホールドしながら携帯端末装置２の方向を変更しつつ、ホールドの強さを変えた場合における画像の表示の様子を例示している。図８（ａ）において、ユーザは表示面を通常よりも強くホールドする。この通常よりも強いホールドにより、画面回転機能はＯＦＦ状態となり、その後、例えば図８（ｂ）に示すようにユーザが携帯端末装置２の方向を反時計回りに回転させても、表示面に対する画像の方向は維持される。その後、ユーザが表示面に対するホールドの強さを弱めて、通常程度の強さでホールドすると、画面回転機能はＯＮ状態となり、図８（ｃ）に示すように、その時点における鉛直下方向に画像の下方向が沿うように表示面に対する画像の方向の変更が行なわれる。
【００４７】
図８（ｃ）の状態において、ユーザが再び表示面を通常よりも強くホールドすると、画面回転機能はＯＦＦ状態となり、図８（ｄ）に示す画像の表示面に対する方向が維持される。その後、例えば図８（ｅ）に示すようにユーザが携帯端末装置２の方向を時計回りに回転させても、表示面に対する画像の方向は維持される。その後、ユーザが表示面に対するホールドの強さを弱めて、通常程度の強さでホールドすると、画面回転機能はＯＮ状態となり、図８（ｆ）に示すように、その時点における鉛直下方向に画像の下方向が沿うように表示面に対する画像の方向の変更が行なわれる。
【００４８】
このように、携帯端末装置２によれば、ユーザは表示面を通常よりも強くホールドすることにより画面回転機能をＯＦＦし、ホールドの強さを緩めることで画面回転機能をＯＮすることができる。なお、画面回転機能をＯＦＦするために強くホールドし、画面回転機能をＯＮするためにホールドの強さを弱める、という操作は、表示面に表示されている画像を仮想的に指で強く押さえて動かなくする操作として、ユーザにとって直感的に理解しやすい操作である。
【００４９】
上記のような仕組みを備える携帯端末装置２のハードウェア構成および機能構成は、携帯端末装置１のハードウェア構成（図３）および機能構成（図４）と同様である。ただし、携帯端末装置２の制御部１０４は、以下に説明するように、ホールドの強さ、すなわちタッチにおける指の表示面に対する押圧力の強さが予め定められた閾値以上であるか否かに基づき、画面回転機能のＯＮ、ＯＦＦを決定する。そのため、携帯端末装置２の接触検出部１０５は、タッチの検出に加え、検出したタッチにおける指の表示面に対する押圧力の強さを示す指標値を特定し、その特定結果を制御部１０４に引き渡す。
【００５０】
携帯端末装置２の接触検出部１０５が特定する押圧力の強さを示す指標値は、タッチセンサ１４から出力される座標群に基づきＣＰＵ１２が算出する接触領域の面積である。タッチセンサ１４は指の押圧力そのものを計測するセンサを持たないが、指がディスプレイ１３に押し当てられる力が強い程、接触領域の面積は広くなる。従って、例えばユーザが携帯端末装置２の表面面に親指を押し当てて携帯端末装置２を通常の強さでホールドした状態の親指の接触領域の面積を携帯端末装置２が基準面積として予め計測し記憶部１０２に記憶しておき、接触検出部１０５が特定する接触領域の面積が基準面積の所定数倍（例えば、１．２倍）以上の間、制御部１０４は画面回転機能をＯＦＦ状態にする。
【００５１】
図９は、携帯端末装置２の制御部１０４が表示部１０３に対し画像の表示の方向を指示するために行なう一連の処理を示した図である。図９に示す処理は、携帯端末装置１の制御部１０４が行なう図６に示した処理と比較し、ステップＳ００２およびＳ１０１が異なっている点を除き、他は同様である。従って、以下に携帯端末装置２の制御部１０４がステップＳ００２およびＳ１０１に代えて行なうステップＳ００２’およびＳ１０１’を説明する。
【００５２】
制御部１０４は、ｘ軸仰角θxとｙ軸仰角θyのいずれかの変化を検出すると（ステップＳ００１）、その時点で接触検出部１０５により、予め定められた閾値以上の強さのタッチ、すなわち接触領域の面積が基準面積の所定数倍以上であるタッチが感知されているか否かを判定する（ステップＳ００２’）。
【００５３】
ステップＳ００２’における判定において、接触検出部１０５により、予め定められた閾値以上の強さのタッチが感知されていると判定した場合、制御部１０４は表示部１０３に対し特段の指示を行なわない。その結果、ユーザが表示面を通常よりも強くホールドした状態で携帯端末装置２の方向を変更しても、表示面に対する画像の方向は維持される。
【００５４】
一方、ステップＳ００２’における判定において、接触検出部１０５により、予め定められた閾値以上の強さのタッチが感知されていないと判定した場合（ステップＳ００２’；Ｎｏ）、制御部１０４はステップＳ００３〜ステップＳ００９の処理を行なう。その結果、ユーザが表示面を通常の強さでホールドした状態で携帯端末装置２の方向を変更すると、携帯端末装置２の方向の変化に伴い画像の下方向が鉛直下方向に沿うように、表示面に対する画像の表示の方向が調整される。
【００５５】
また、制御部１０４は、接触検出部１０５により特定される接触領域の面積、すなわちホールドの強さを監視している。制御部１０４は接触検出部１０５により特定される接触領域の面積が基準面積の所定数倍以上の値から基準面積の所定数倍未満の値に変化した場合、すなわち表示面に対する指のタッチの押圧力が所定の閾値を下回ったことを検出した場合（ステップＳ１０１’）も、上述したステップＳ００３〜ステップＳ００９の処理を行なう。その結果、ユーザが通常よりも強くホールドしている状態からそのホールドの強さを弱めると、画像の下方向が鉛直下方向に沿うように、その時点における携帯端末装置２の方向に応じて表示面に対する画像の表示の方向が調整される。
【００５６】
上述した制御部１０４の処理により表示部１０３に対し与えられる指示に従い、表示部１０３が画像の方向を調整して表示することにより、ユーザの指により表示面が通常よりも強くホールドされている間は画面回転機能がＯＦＦ状態となり、この強いホールドを開始した時点における画像の表示面に対する方向が維持され、ユーザの指による表示面のホールドの強さが通常程度であるか、もしくはホールドがされていない間は画面回転機能がＯＮ状態となり、携帯端末装置２の方向の変化に伴い画像の下方向が鉛直下方向に沿うように、表示面に対する画像の表示の方向が調整される。
【００５７】
［第３実施形態］
以下に本発明の第３実施形態にかかる携帯端末装置３を説明する。携帯端末装置３は携帯端末装置１と多くの点で共通しているため、以下に携帯端末装置３が携帯端末装置１と異なる点を中心に説明する。また、携帯端末装置３が携帯端末装置１と共通して備える構成部に対しては、携帯端末装置１の説明において用いた符号を用いる。
【００５８】
携帯端末装置１は、ユーザの指により表示面がホールドされている間、そのホールドの位置がどの位置であるかにかかわらず画面回転機能をＯＦＦする構成が採用されている。これに対し、携帯端末装置３は、ユーザの指により表示面における予め定められた領域内においてホールドが行なわれている間、画面回転機能をＯＦＦし、ユーザの指により表示面がホールドされていない間に加え、ホールドされていてもその位置が予め定められた領域内でない間、画面回転機能をＯＮする。
【００５９】
図１０および図１１は、携帯端末装置３において画像が表示される様子を示した図である。図１０はユーザの指により表示面がホールドされているが、そのホールドの位置が図１０において斜線で示した表示面における予め定められた領域（この場合、表示面の四隅の扇形の領域）内でない場合を示している。この場合、画面回転機能はＯＮ状態となり、携帯端末装置３の方向の変化に伴い、画像の下方向が鉛直下方向に沿うように、画像の表示の方向が変更される。
【００６０】
図１１はユーザが表示面をホールドしながら携帯端末装置３の方向を変更しつつ、ホールドの位置を変えた場合における画像の表示の様子を例示している。図１１（ａ）において、ユーザは表示面を予め定められた領域内でホールドする。この予め定められた領域内におけるホールドにより、画面回転機能はＯＦＦ状態となり、その後、例えば図１１（ｂ）に示すようにユーザが携帯端末装置３の方向を反時計回りに回転させても、表示面に対する画像の方向は維持される。その後、ユーザが表示面に対するタッチ位置をスライドして、予め定められた領域外で表示面をホールドすると、画面回転機能はＯＮ状態となり、図１１（ｃ）に示すように、その時点における鉛直下方向に画像の下方向が沿うように表示面に対する画像の方向の変更が行なわれる。
【００６１】
図１１（ｃ）の状態において、ユーザが再び表示面に対するタッチ位置をスライドして、予め定められた領域内で表示面をホールドすると、画面回転機能はＯＦＦ状態となり、図１１（ｄ）に示す画像の表示面に対する方向が維持される。その後、例えば図１１（ｅ）に示すようにユーザが携帯端末装置３の方向を時計回りに回転させても、表示面に対する画像の方向は維持される。その後、ユーザが表示面に対するタッチ位置をスライドして、予め定められた領域外で表示面をホールドすると、画面回転機能はＯＮ状態となり、図１１（ｆ）に示すように、その時点における鉛直下方向に画像の下方向が沿うように表示面に対する画像の方向の変更が行なわれる。
【００６２】
このように、携帯端末装置３によれば、ユーザは表示面を予め定められた領域内においてホールドすることにより画面回転機能をＯＦＦし、ホールドの位置を予め定められた領域外にずらすことで画面回転機能をＯＮすることができる。なお、画面回転機能をＯＦＦするために予め定められた領域内で表示面をホールドし、画面回転機能をＯＮするためにホールドの位置をずらす、という操作は、表示面に表示されている画像を、例えば画鋲やテープによる固定の際に通常用いられる四隅といった予め定められた領域において仮想的に指で強く押さえて動かなくする操作として、ユーザにとって直感的に理解しやすい操作である。
【００６３】
上記のような仕組みを備える携帯端末装置３のハードウェア構成および機能構成は、携帯端末装置１のハードウェア構成（図３）および機能構成（図４）と同様である。ただし、携帯端末装置３の制御部１０４は、以下に説明するように、ホールドの位置が予め定められた領域内であるか否かに基づき、画面回転機能のＯＮ、ＯＦＦを決定する。そのため、携帯端末装置３の接触検出部１０５は、タッチの検出に加え、検出したタッチの位置を特定し、その特定結果を制御部１０４に引き渡す。また、携帯端末装置３の記憶部１０２には、予め定められた領域を示す領域データが記憶されている。
【００６４】
図１２は、携帯端末装置３の制御部１０４が表示部１０３に対し画像の表示の方向を指示するために行なう一連の処理を示した図である。図１２に示す処理は、携帯端末装置１の制御部１０４が行なう図６に示した処理と比較し、ステップＳ００２およびＳ１０１が異なっている点を除き、他は同様である。従って、以下に携帯端末装置３の制御部１０４がステップＳ００２およびＳ１０１に代えて行なうステップＳ００２’’およびＳ１０１’’を説明する。
【００６５】
制御部１０４は、ｘ軸仰角θxとｙ軸仰角θyのいずれかの変化を検出すると（ステップＳ００１）、その時点で接触検出部１０５により、記憶部１０２に記憶されている領域データにより示される領域内において、タッチが感知されているか否かを判定する（ステップＳ００２’’）。
【００６６】
ステップＳ００２’’における判定において、接触検出部１０５により、予め定められた領域内においてタッチが感知されていると判定した場合、制御部１０４は表示部１０３に対し特段の指示を行なわない。その結果、ユーザが表示面を予め定められた領域内でホールドした状態で携帯端末装置３の方向を変更しても、表示面に対する画像の方向は維持される。
【００６７】
一方、ステップＳ００２’’における判定において、接触検出部１０５により、予め定められた領域内においてタッチが感知されていないと判定した場合（ステップＳ００２’’；Ｎｏ）、制御部１０４はステップＳ００３〜ステップＳ００９の処理を行なう。その結果、ユーザが表示面を予め定められた領域外でホールドした状態で携帯端末装置３の方向を変更すると、携帯端末装置３の方向の変化に伴い画像の下方向が鉛直下方向に沿うように、表示面に対する画像の表示の方向が調整される。
【００６８】
また、制御部１０４は、接触検出部１０５により特定されるタッチの位置を監視している。制御部１０４は接触検出部１０５により特定されるタッチの位置が予め定められた領域内から予め定められた領域外に移動した場合（ステップＳ１０１’’）も、上述したステップＳ００３〜ステップＳ００９の処理を行なう。その結果、ユーザがホールドの位置を予め定められた領域内から領域外へとスライドさせると、画像の下方向が鉛直下方向に沿うように、その時点における携帯端末装置３の方向に応じて表示面に対する画像の表示の方向が調整される。
【００６９】
上述した制御部１０４の処理により表示部１０３に対し与えられる指示に従い、表示部１０３が画像の方向を調整して表示することにより、ユーザの指により表示面が予め定められた領域内でホールドされている間は画面回転機能がＯＦＦ状態となり、この予め定められた領域内におけるホールドを開始した時点における画像の表示面に対する方向が維持され、ユーザの指による表示面のホールドの位置が予め定められた領域外であるか、もしくはホールドがされていない間は画面回転機能がＯＮ状態となり、携帯端末装置３の方向の変化に伴い画像の下方向が鉛直下方向に沿うように、表示面に対する画像の表示の方向が調整される。
【００７０】
［第４実施形態］
以下に本発明の第４実施形態にかかる携帯端末装置４を説明する。携帯端末装置４は第１実施形態にかかる携帯端末装置１と多くの点で共通しているため、以下に携帯端末装置４が携帯端末装置１と異なる点を中心に説明する。また、携帯端末装置４が携帯端末装置１と共通して備える構成部に対しては、携帯端末装置１の説明において用いた符号を用いる。
【００７１】
携帯端末装置１は、ユーザの指により表示面がホールドされている間、画面回転機能をＯＦＦする構成が採用されている。これに対し、携帯端末装置４は、ユーザの指により表示面がホールドされている間、画面回転機能をＯＦＦするように動作するアンロックモードと、ユーザの指による表示面のホールドの有無にかかわらず画面回転機能をＯＦＦ状態で維持するロックモードとを備え、アンロックモードにおいてユーザの指により表示面が通常よりも強くホールドされるとロックモードに移行し、ロックモードにおいてユーザの指により予め定められた領域内でスワイプ（タッチ位置のスライド）が行なわれるとアンロックモードに移行する、という構成が採用されている。
【００７２】
図１３Ａおよび図１３Ｂは、携帯端末装置４において画像が表示される様子を示した図である。図１３Ａ（ａ）において、ユーザはアンロックモードの携帯端末装置４の表示面を通常の強さでホールドする。このホールドにより、画面回転機能はＯＦＦ状態となり、その後、例えば図１３Ａ（ｂ）に示すようにユーザが携帯端末装置４の方向を反時計回りに回転させても、表示面に対する画像の方向は維持される。
【００７３】
その後、ユーザが表示面を通常よりも強くホールドすると（図１３Ａ（ｃ））、携帯端末装置４はアンロックモードからロックモードに移行する（図１３Ａ（ｄ））。すなわち、その後、画面回転機能のＯＦＦ状態が維持され、例えばユーザが携帯端末装置４の表示面に対するホールドをリリースしても、表示面に対する画像の方向は変更されない。ロックモードにおいて、携帯端末装置４の表示面（ロックモードへの移行を指示する強いホールドが行なわれた位置）には画鋲の画像が表示される。
【００７４】
続いて、例えば図１３Ａ（ｅ）に示すように、ユーザが指で画鋲の画像の表示されている領域に対しスワイプの操作を行なうと、携帯端末装置４はロックモードからアンロックモードに移行し、図１３Ｂ（ｆ）に示すように表示面がホールドされていない場合、画面回転機能がＯＮ状態となるため、その時点にける鉛直下方向に画像の下方向が沿うように表示面に対する画像の方向の変更が行なわれる。なお、ロックモードからアンロックモードに移行すると、ロックモードにおいて表示されていた画鋲の画像は表示面に表示されない。従って、ユーザは画鋲の画像の有無によりロックモードかアンロックモードかを容易に確認することができる。
【００７５】
続いて、例えば図１３Ｂ（ｇ）に示すように、ユーザが表示面を通常の強さでホールドすると、このホールドにより画面回転機能はＯＦＦ状態となり、その後、例えば図１３Ｂ（ｈ）に示すようにユーザが携帯端末装置４の方向を時計回りに回転させても、表示面に対する画像の方向は維持される。
【００７６】
このように、携帯端末装置４によれば、ユーザは表示面を通常よりも強くホールドする操作によりアンロックモードからロックモードへの移行を、また表示面の予め定められた領域内に対しスワイプ操作を行なうことによりロックモードからアンロックモードへの移行を携帯端末装置４に対し指示することができる。なお、画面回転機能のＯＦＦ状態をロックするために表示面を強くホールドし、画面回転機能のＯＦＦ状態のロックを解除するために予め定められた領域内においてタッチをスライドさせる、という操作は、表示面に表示されている画像を、例えば画鋲やテープにより固定して動かなくし、固定に用いた画鋲やテープを外すことでその固定を解除する操作として、ユーザにとって直感的に理解しやすい操作である。
【００７７】
上記のような仕組みを備える携帯端末装置４のハードウェア構成および機能構成は、携帯端末装置１のハードウェア構成（図３）および機能構成（図４）と同様である。ただし、携帯端末装置４の制御部１０４は、以下に説明するように、ホールドの強さが予め定められた強さ以上であるか否か、またタッチの位置が予め定められた領域内でスライドされたか否かに基づき、アンロックモードとロックモードとの間の移行を行なう。そのため、携帯端末装置４の接触検出部１０５は、タッチの検出に加え、検出したタッチにおける指の表示面に対する押圧力の強さを示す指標値とタッチの位置を特定し、それらの特定結果を制御部１０４に引き渡す。
【００７８】
なお、携帯端末装置４の接触検出部１０５が特定する押圧力の強さを示す指標値は、第２実施形態にかかる携帯端末装置２の接触検出部１０５が特定する指標値と同様に、接触領域の面積である。また、携帯端末装置４の制御部１０４は、携帯端末装置２の制御部１０４と同様に、予め計測し記憶部１０２に記憶しておいた基準面積の所定数倍（例えば、１．２倍）以上の面積のタッチを接触検出部１０５が特定したか否かに基づき、ユーザによるホールドの強さが予め定められた強さ以上であるか否かの判定を行なう。
【００７９】
また、携帯端末装置４の制御部１０４は、アンロックモードとロックモードのいずれであるかを識別するためのフラグであるロックフラグを記憶部１０２に記憶し、以下に説明する判定処理の結果に従い、このロックフラグを書き替える。
【００８０】
図１４は、制御部１０４がロックフラグを書き替える処理を示した図である。図１４（ａ）はロックフラグにアンロックモードであることを示す「０」（False）がセットされている状態において、制御部１０４が行なう処理を示し、図１４（ｂ）はロックフラグにロックモードであることを示す「１」（True）がセットされている状態において、制御部１０４が行なう処理を示している。
【００８１】
制御部１０４は、ロックフラグに「０」がセットされている状態、すなわちアンロックモードにおいて、接触検出部１０５により特定される接触領域の面積を監視している。制御部１０４は接触検出部１０５により特定される接触領域の面積が基準面積の所定数倍未満の値から基準面積の所定数倍以上の値に変化した場合、すなわち表示面に対する指のタッチの押圧力が所定の閾値に達したことを検出した場合（ステップＳ２０１；Ｙｅｓ）、ロックフラグに「１」をセットする（ステップＳ２０２）。これにより、携帯端末装置４はロックモードに移行する。
【００８２】
また、制御部１０４は、ロックフラグに「１」がセットされている状態、すなわちロックモードにおいて、接触検出部１０５により特定されるタッチの位置を監視している。制御部１０４は接触検出部１０５により特定されるタッチの位置が、画鋲の画像が表示されている予め定められた領域内において所定距離以上移動した場合、すなわちユーザによる画鋲の画像に対するスワイプ操作を検出した場合（ステップＳ３０１；Ｙｅｓ）、ロックフラグに「０」をセットする（ステップＳ３０２）。これにより、携帯端末装置４はアンロックモードに移行する。
【００８３】
制御部１０４は、ロックフラグに「０」がセットされている状態、すなわちアンロックモードにおいて、図６に示した携帯端末装置１の制御部１０４が行なう処理と同様の処理を行なう。すなわち、ユーザにより表示面がホールドされている間、画面回転機能をＯＦＦ状態とし、表示面がホールドされていない間、画面回転機能をＯＮ状態とする。一方、制御部１０４は、ロックフラグに「１」がセットされている状態、すなわちロックモードにおいて、画面回転機能を常にＯＦＦ状態とする。従って、ユーザが表示面に対するホールドをリリースしても、表示面に対する画像の表示の方向は維持される。
【００８４】
上述した制御部１０４の処理により、ユーザは表示面を通常よりも強くホールドすることで画面回転機能をＯＦＦ状態でロックし、画面回転機能がＯＦＦ状態でロックされていることを示す画鋲の画像にスワイプ操作を行なうことでそのロックを解除することができる。
【００８５】
［変形例］
上述した実施形態は本発明の一実施形態であり、本発明の技術的思想の範囲内において様々に変形可能である。以下にそれらの変形の例を示す。
【００８６】
上述した実施形態においては、携帯端末装置の方向の変更に伴い行なわれる画像の表示面に対する方向の変更は９０度単位で行なわれる構成が採用されている。すなわち、画像の上下方向は、常に表示面のｙ軸方向もしくはｘ軸方向のいずれかに平行となるように、画像の表示の方向が決定される。これに代えて、表示面に対する画像の表示の方向が、例えば４５度単位、１０度単位、１度単位など、９０度以外の単位で変更されてもよい。表示面に対する画像の表示の方向が小さい角度の単位で変更される程、画像の再描画等に要する携帯端末装置の処理の負荷は増大するが、携帯端末装置の回転に伴い、より滑らかに画像の回転表示が行なわれるため、ユーザにとって望ましい場合がある。
【００８７】
また、上述した実施形態において、ホールドの継続時間は画面回転機能のＯＮ、ＯＦＦの切り替えや、ロックモード、アンロックモードの切り替え（第４実施形態）には用いられない構成が採用されている。これに代えて、携帯端末装置が経過時間を計測する計時部を備え、ホールド（または予め定められた強さ以上、予め定められた領域内、といった所定の条件を満たすホールド）が検出されている時間、もしくはホールド（または予め定められた強さ以上、予め定められた領域内、といった所定の条件を満たすホールド）が検出されていない時間が予め定められた時間以上、継続されたことをトリガとして、画面回転機能のＯＮ、ＯＦＦの切り替えや、ロックモード、アンロックモードの切り替えが行なわれる構成が採用されてもよい。
【００８８】
また、上述した実施形態において、ホールドの数の大小は画面回転機能のＯＮ、ＯＦＦの切り替えや、ロックモード、アンロックモードの切り替え（第４実施形態）には用いられない構成が採用されている。これに代えて、携帯端末装置のタッチセンサが複数のタッチを同時に検出可能である場合、ホールド（または予め定められた強さ以上、予め定められた領域内、といった所定の条件を満たすホールド）が予め定められた数以上、検出されたことをトリガとして、画面回転機能のＯＮ、ＯＦＦの切り替えや、ロックモード、アンロックモードの切り替えが行なわれる構成が採用されてもよい。例えば、２以上の異なる位置で表示面がホールドされている間、携帯端末装置が画面回転機能をＯＦＦ状態とする構成を採用した場合、ユーザは、例えば両手の指で表示面を同時にホールドしている間のみ、画面回転機能をＯＦＦ状態にすることができる。
【００８９】
また、上述した第３実施形態において、画面回転機能をＯＦＦ状態にするためにユーザがホールドすべき領域をユーザが指定可能な構成が採用されてもよい。その場合、ユーザにより表示面に対しタッチ操作等により指定された領域を示す領域データが携帯端末装置の記憶部に記憶され、画面回転機能のＯＮ、ＯＦＦの判定に用いられる。
【００９０】
また、上述した第３実施形態において、画面回転機能をＯＦＦ状態にするためにユーザがホールドすべき領域を、携帯端末装置の備えるセンサにより検出される情報に応じて変更する構成が採用されてもよい。例えば、ユーザが携帯端末装置を右手で操作している際は、表示面の右側にホールドすべき領域が設定され、左手で操作している際は表示面の右側にホールドすべき領域が設定されることが望ましい。従って、例えば携帯端末装置が基準軸に対する角速度を特定可能なジャイロセンサを備えている場合、ユーザが表示面をタッチする際等のジャイロセンサの出力信号が示す携帯端末装置の回転の方向に基づき、携帯端末装置がユーザの操作している手が右手と左手のいずれであるかを特定し、特定した手に応じた表示面上の望ましい位置に、ユーザがホールドすべき領域を設定する構成が採用され得る。なお、ホールドすべき領域の設定位置を特定するために用いる信号としては、ジャイロセンサの出力信号の他、イメージセンサ、加速度センサ、地磁気センサなど、様々な種類のものが採用され得るとともに、それらの中から選択された２以上のセンサが組み合わされてもよい。
【００９１】
また、上述した第４実施形態において、ユーザはロックモードにおいて表示面に表示される予め定められた画像に対しスワイプ操作を行なうことにより、携帯端末装置に対するロックモードからアンロックモードへの移行を指示する構成が採用されている。ユーザがロックモードからアンロックモードへの移行を指示する方法はこれに限られない。例えばユーザが表示面上の任意の位置で行なうスワイプ操作を携帯端末装置が検出し、その検出をトリガとしてアンロックモードへの移行が行なわれる構成が採用されてもよい。また、ロックモードにおいて、ユーザが表示面上の予め定められた画像が表示されている領域、もしくは任意の位置において、予め定められた閾値以上の強さで表示面をホールドした際、そのホールドを携帯端末装置が検出し、その検出をトリガとしてアンロックモードへの移行が行なわれる構成が採用されてもよい。
【００９２】
また、上述した実施形態およびその変形例において、表示面のタッチに用いられるポインタはユーザの指であるものとしたが、ポインタはスタイラスなど、指以外のものであってもよい。また、タッチセンサがポインタの接触のみでなく近接（少なくとも所定距離以下に近付くこと）も検出可能な方式である場合、上述した実施形態における接触のうち押圧力の特定を要さない接触は「接触または近接」と置き換えてもよい。
【００９３】
また、上述した実施形態およびその変形例は、適宜組み合わされてもよい。例えば、第２実施形態と第３実施形態を組み合わせて、携帯端末装置が、予め定められた領域内において予め定められた強さ以上の強さで表示面に対するホールドが検出されている間、画面回転機能をＯＦＦ状態とする構成が採用されてもよい。
【００９４】
また、上述した実施形態において、携帯端末装置は一般的なコンピュータが、本発明にかかるプログラムに従った処理を行なうことにより実現される構成が採用されているが、これに代えて、いわゆる専用機として本発明にかかる携帯端末装置が実現されてもよい。
【００９５】
また、上述した実施形態において、携帯端末装置により実行されるプログラムは、予め携帯端末装置の出荷時に記憶部に記憶されていてもよいし、インターネット等のネットワークや記憶媒体等の媒体を介して外部から携帯端末装置が取得し、記憶部に記憶してもよい。
【００９６】
なお、携帯端末装置により実行されるプログラムはＯＳ（Operation System）の一部として構成されてもよいし、いわゆるアプリケーションプログラムの一部として構成されてもよい。携帯端末装置により実行されるプログラムがＯＳの一部として構成される場合、上述した画面回転機能のＯＮ／ＯＦＦをユーザの簡易な操作で切り替え可能とする機能が、ＯＳ上で動作するアプリケーションプログラムにより利用可能となる。そのため、個々のアプリケーションプログラムに画面回転機能のＯＮ／ＯＦＦをユーザの簡易な操作で切り替え可能とするためのプログラムを含ませる必要がない。
【００９７】
なお、上述した実施形態の説明において、表示面に表示される画像は静止画であるか動画であるかについて言及していないが、本発明にかかる携帯端末装置に表示される画像は静止画、動画のいずれであってもよい。
【００９８】
また、既述のように、本願において「画像」とは広くディスプレイに表示される情報のことを意味し、その情報の種別は図形、文字、記号等のいずれをも含む。従って、本発明にかかる携帯端末装置に表示される画像は、写真、Ｗｅｂブラウザ画面、テキスト表示画面、ゲームの画面等、その種別はいずれであってもよく、それらの画像の表示を指示するアプリケーションプログラムの種別も限定されない。
【００９９】
なお、上述した実施形態において、画面回転機能がユーザの簡易な操作（単なるホールドや、予め定められた強さ以上でのホールド、予め定められた領域内でのホールド、といった所定の条件を満たすホールド等）に応じて画面回転機能がＯＦＦまたはＯＮされている状態において、ユーザにより表示面に対するタッチ操作等の操作が行われた場合、携帯端末装置は、その時点における画像の表示の方向を維持しながら当該操作に従った処理を行う。以下にそれらの操作の例を示す。
【０１００】
図１５は、上述した第１実施形態において、ユーザによるホールド操作に応じて画面回転機能がＯＦＦされた状態の携帯端末装置１に対しユーザによりフリック操作が行われた際に携帯端末装置１に表示される画像を示した図である。図１５（ｂ）及び図１５（ｃ）に示されるように、ユーザによるホールド操作により画面回転機能がＯＦＦされている状態でユーザによりフリック操作が行われると、この例の場合、携帯端末装置１は表示対象の画像の切り替え（ページめくり）の処理を行う。
【０１０１】
図１６は、上述した第１実施形態において、ユーザによるホールド操作に応じて画面回転機能がＯＦＦされた状態の携帯端末装置１に対しユーザによりピンチ操作が行われた際に携帯端末装置１に表示される画像を示した図である。図１６（ｂ）及び図１６（ｃ）に示されるように、ユーザによるホールド操作により画面回転機能がＯＦＦされている状態でユーザによりピンチ操作が行われると、この例の場合、携帯端末装置１は表示対象の画像を拡大表示（ピンチアウト時）又は縮小表示（ピンチイン時）する処理を行う。
【０１０２】
図１７は、上述した第１実施形態において、ユーザによるホールド操作に応じて画面回転機能がＯＦＦされた状態の携帯端末装置１に対しユーザによりタップ操作が行われた際に携帯端末装置１に表示される画像を示した図である。図１７（ｂ）乃至図１７（ｄ）に示されるように、ユーザによるホールド操作により画面回転機能がＯＦＦされている状態でユーザによりタップ操作が行われると、この例の場合、携帯端末装置１は表示している画像を所定の送信先（例えば、クラウドサーバ内の予め定められた格納場所）に送信する処理を行う。
【図１】
2014030455.tif 000003
【図２】
2014030455.tif 000004
【図３】
2014030455.tif 000005
【図４】
2014030455.tif 000006
【図５】
2014030455.tif 000007
【図６】
2014030455.tif 000008
【図７】
2014030455.tif 000009
【図８】
2014030455.tif 000010
【図９】
2014030455.tif 000011
【図１０】
2014030455.tif 000012
【図１１】
2014030455.tif 000013
【図１２】
2014030455.tif 000014
【図１３Ａ】
2014030455.tif 000015
【図１３Ｂ】
2014030455.tif 000016
【図１４】
2014030455.tif 000017
【図１５】
2014030455.tif 000018
【図１６】
2014030455.tif 000019
【図１７】
2014030455.tif 000020
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
表示面に画像を表示する表示部と、
前記表示面に対する複数のポインタの接触又は近接を検出する接触検出部と、
基準方向に対する前記表示面の傾きを検出する傾き検出部と、
前記接触検出部が２以上の所定数以上のポインタの接触又は近接を検出しているという条件を必須条件として含む所定の条件が満たされている間は、前記傾き検出部が検出する前記表示面の傾き度合いの如何にかかわらず前記表示面における画像の方向の変更を行わず、前記所定の条件が満たされていない間は、前記傾き検出部が検出する前記表示面の傾き度合いに応じた、前記表示面における画像の方向の変更を行う制御部と
を備える装置。
【請求項２】
前記接触検出部は、前記表示面におけるポインタの接触又は近接の位置を特定し、
前記所定の条件は、前記接触検出部が特定している前記接触又は近接の位置が前記表示面内の予め定められた領域内であるという条件を必須条件として含む
請求項１に記載の装置。
【請求項３】
表示面に画像を表示する表示部と、
前記表示面に対するポインタの接触を検出し、検出した接触における押圧力を示す指標値を特定する接触検出部と、
基準方向に対する前記表示面の傾きを検出する傾き検出部と、
前記接触検出部が特定している前記指標値が予め定められた閾値以上の押圧力を示すという条件を必須条件として含む所定の条件が満たされている間は、前記傾き検出部が検出する前記表示面の傾き度合いの如何にかかわらず前記表示面における画像の方向の変更を行わず、前記所定の条件が満たされていない間は、前記傾き検出部が検出する前記表示面の傾き度合いに応じた、前記表示面における画像の方向の変更を行う制御部と
を備える装置。
【請求項４】
前記接触検出部は、前記表示面におけるポインタの接触の位置を特定し、
前記所定の条件は、前記接触検出部が特定している前記接触又は近接の位置が前記表示面内の予め定められた領域内であるという条件を必須条件として含む
請求項３に記載の装置。
【請求項５】
表示面に画像を表示する表示部と、
前記表示面に対するポインタの接触又は近接を検出するとともに、ポインタの接触を検出した場合は当該接触における押圧力を示す指標値を特定する接触検出部と、
基準方向に対する前記表示面の傾きを検出する傾き検出部と、
前記表示部における画像の方向を決定する制御部と
を備え、
前記制御部は、第１のモードにおいて、前記接触検出部がポインタの接触又は近接を検出しているという条件を必須条件として含む所定の条件が満たされているか否かに基づき、前記傾き検出部が検出する前記表示面の傾き度合いに応じた、前記表示面における画像の方向の変更を行うか否かを決定し、
前記制御部は、第２のモードにおいて、前記表示面における画像の方向の変更を行わず、
前記制御部は、前記第１のモードにおいて、前記接触検出部が予め定められた閾値以上の押圧力を示す前記指標値を特定した場合、前記第２のモードに移行する
装置。
【請求項６】
前記制御部は、前記第１のモードにおいて、前記所定の条件が満たされている間は、前記傾き検出部が検出する前記表示面の傾き度合いの如何にかかわらず前記表示面における画像の方向の変更を行わず、前記所定の条件が満たされていない間は、前記傾き検出部が検出する前記表示面の傾き度合いに応じた、前記表示面における画像の方向の変更を行う
請求項５に記載の装置。
【請求項７】
前記接触検出部は、前記表示面におけるポインタの接触又は近接の位置を特定し、
前記制御部は、前記第２のモードにおいて、前記接触検出部が特定した接触の位置が前記表示面の予め定められた領域内におけるポインタのスライドを示す場合、前記第１のモードに移行する
請求項５または６に記載の装置。
【請求項８】
表示面に画像を表示する表示部と、前記表示面に対する複数のポインタの接触又は近接を検出する接触検出部と、基準方向に対する前記表示面の傾きを検出する傾き検出部とを備えるコンピュータに
前記接触検出部が２以上の所定数以上のポインタの接触又は近接を検出しているという条件を必須条件として含む所定の条件が満たされている間は、前記傾き検出部が検出する前記表示面の傾き度合いの如何にかかわらず前記表示面における画像の方向の変更を行わず、前記所定の条件が満たされていない間は、前記傾き検出部が検出する前記表示面の傾き度合いに応じた、前記表示面における画像の方向の変更を行う処理
を実行させるためのプログラム。
【請求項９】
表示面に画像を表示する表示部と、前記表示面に対するポインタの接触を検出する接触検出部と、基準方向に対する前記表示面の傾きを検出する傾き検出部とを備えるコンピュータに
前記接触検出部により検出した接触における押圧力を示す指標値を特定する処理と、
前記指標値が予め定められた閾値以上の押圧力を示すという条件を必須条件として含む所定の条件が満たされている間は、前記傾き検出部が検出する前記表示面の傾き度合いの如何にかかわらず前記表示面における画像の方向の変更を行わず、前記所定の条件が満たされていない間は、前記傾き検出部が検出する前記表示面の傾き度合いに応じた、前記表示面における画像の方向の変更を行う処理
を実行させるためのプログラム。
【請求項１０】
表示面に画像を表示する表示部と、前記表示面に対するポインタの接触又は近接を検出する接触検出部と、基準方向に対する前記表示面の傾きを検出する傾き検出部とを備えるコンピュータに
第１のモードにおいて、前記接触検出部がポインタの接触又は近接を検出しているという条件を必須条件として含む所定の条件が満たされているか否かに基づき、前記傾き検出部が検出する前記表示面の傾き度合いに応じた、前記表示面における画像の方向の変更を行うか否かを決定する処理を実行させ、
第２のモードにおいて、前記表示面における画像の方向の変更を行わせず、
前記第１のモードにおいて、前記接触検出部がポインタの接触を検出した場合は当該接触における押圧力を示す指標値を特定し、前記指標値が予め定められた閾値以上の押圧力を示す場合、前記第２のモードに移行させる
ためのプログラム。
【手続補正２】
【補正対象書類名】明細書
【補正対象項目名】００１２
【補正方法】変更
【補正の内容】
【００１２】
本発明は、一の態様において、表示面に画像を表示する表示部と、前記表示面に対する複数のポインタの接触又は近接を検出する接触検出部と、基準方向に対する前記表示面の傾きを検出する傾き検出部と、前記接触検出部が２以上の所定数以上のポインタの接触又は近接を検出しているという条件を必須条件として含む所定の条件が満たされている間は、前記傾き検出部が検出する前記表示面の傾き度合いの如何にかかわらず前記表示面における画像の方向の変更を行わず、前記所定の条件が満たされていない間は、前記傾き検出部が検出する前記表示面の傾き度合いに応じた、前記表示面における画像の方向の変更を行う制御部とを備える装置を提供する。
【手続補正３】
【補正対象書類名】明細書
【補正対象項目名】００１３
【補正方法】変更
【補正の内容】
【００１３】
また、本発明の好ましい一態様において、前記接触検出部は、前記表示面におけるポインタの接触又は近接の位置を特定し、前記所定の条件は、前記接触検出部が特定している前記接触又は近接の位置が前記表示面内の予め定められた領域内であるという条件を必須条件として含む、という構成が採用されてもよい。
【手続補正４】
【補正対象書類名】明細書
【補正対象項目名】００１４
【補正方法】変更
【補正の内容】
【００１４】
また、本発明は、他の観点において、表示面に画像を表示する表示部と、前記表示面に対するポインタの接触を検出し、検出した接触における押圧力を示す指標値を特定する接触検出部と、基準方向に対する前記表示面の傾きを検出する傾き検出部と、前記接触検出部が特定している前記指標値が予め定められた閾値以上の押圧力を示すという条件を必須条件として含む所定の条件が満たされている間は、前記傾き検出部が検出する前記表示面の傾き度合いの如何にかかわらず前記表示面における画像の方向の変更を行わず、前記所定の条件が満たされていない間は、前記傾き検出部が検出する前記表示面の傾き度合いに応じた、前記表示面における画像の方向の変更を行う制御部とを備える装置を提供する。
【手続補正５】
【補正対象書類名】明細書
【補正対象項目名】００１５
【補正方法】変更
【補正の内容】
【００１５】
また、本発明の好ましい一態様において、前記接触検出部は、前記表示面におけるポインタの接触の位置を特定し、前記所定の条件は、前記接触検出部が特定している前記接触又は近接の位置が前記表示面内の予め定められた領域内であるという条件を必須条件として含む、という構成が採用されてもよい。
【手続補正６】
【補正対象書類名】明細書
【補正対象項目名】００１６
【補正方法】変更
【補正の内容】
【００１６】
また、本発明は、他の観点において、表示面に画像を表示する表示部と、前記表示面に対するポインタの接触又は近接を検出するとともに、ポインタの接触を検出した場合は当該接触における押圧力を示す指標値を特定する接触検出部と、基準方向に対する前記表示面の傾きを検出する傾き検出部と、前記表示部における画像の方向を決定する制御部とを備え、前記制御部は、第１のモードにおいて、前記接触検出部がポインタの接触又は近接を検出しているという条件を必須条件として含む所定の条件が満たされているか否かに基づき、前記傾き検出部が検出する前記表示面の傾き度合いに応じた、前記表示面における画像の方向の変更を行うか否かを決定し、前記制御部は、第２のモードにおいて、前記表示面における画像の方向の変更を行わず、前記制御部は、前記第１のモードにおいて、前記接触検出部が予め定められた閾値以上の押圧力を示す前記指標値を特定した場合、前記第２のモードに移行する装置を提供する。
【手続補正７】
【補正対象書類名】明細書
【補正対象項目名】００１７
【補正方法】変更
【補正の内容】
【００１７】
また、本発明の好ましい一態様において、前記制御部は、前記第１のモードにおいて、前記所定の条件が満たされている間は、前記傾き検出部が検出する前記表示面の傾き度合いの如何にかかわらず前記表示面における画像の方向の変更を行わず、前記所定の条件が満たされていない間は、前記傾き検出部が検出する前記表示面の傾き度合いに応じた、前記表示面における画像の方向の変更を行う、という構成が採用されてもよい。
【手続補正８】
【補正対象書類名】明細書
【補正対象項目名】００１８
【補正方法】変更
【補正の内容】
【００１８】
また、本発明の好ましい一態様において、前記接触検出部は、前記表示面におけるポインタの接触又は近接の位置を特定し、前記制御部は、前記第２のモードにおいて、前記接触検出部が特定した接触の位置が前記表示面の予め定められた領域内におけるポインタのスライドを示す場合、前記第１のモードに移行する、という構成が採用されてもよい。
【手続補正９】
【補正対象書類名】明細書
【補正対象項目名】００１９
【補正方法】変更
【補正の内容】
【００１９】
また、本発明は、他の観点において、表示面に画像を表示する表示部と、前記表示面に対する複数のポインタの接触又は近接を検出する接触検出部と、基準方向に対する前記表示面の傾きを検出する傾き検出部とを備えるコンピュータに前記接触検出部が２以上の所定数以上のポインタの接触又は近接を検出しているという条件を必須条件として含む所定の条件が満たされている間は、前記傾き検出部が検出する前記表示面の傾き度合いの如何にかかわらず前記表示面における画像の方向の変更を行わず、前記所定の条件が満たされていない間は、前記傾き検出部が検出する前記表示面の傾き度合いに応じた、前記表示面における画像の方向の変更を行う処理を実行させるためのプログラムを提供する。
【手続補正１０】
【補正対象書類名】明細書
【補正対象項目名】００２０
【補正方法】変更
【補正の内容】
【００２０】
また、本発明は、他の観点において、表示面に画像を表示する表示部と、前記表示面に対するポインタの接触を検出する接触検出部と、基準方向に対する前記表示面の傾きを検出する傾き検出部とを備えるコンピュータに前記接触検出部により検出した接触における押圧力を示す指標値を特定する処理と、前記指標値が予め定められた閾値以上の押圧力を示すという条件を必須条件として含む所定の条件が満たされている間は、前記傾き検出部が検出する前記表示面の傾き度合いの如何にかかわらず前記表示面における画像の方向の変更を行わず、前記所定の条件が満たされていない間は、前記傾き検出部が検出する前記表示面の傾き度合いに応じた、前記表示面における画像の方向の変更を行う処理を実行させるためのプログラムを提供する。
また、本発明は、他の観点において、表示面に画像を表示する表示部と、前記表示面に対するポインタの接触又は近接を検出する接触検出部と、基準方向に対する前記表示面の傾きを検出する傾き検出部とを備えるコンピュータに第１のモードにおいて、前記接触検出部がポインタの接触又は近接を検出しているという条件を必須条件として含む所定の条件が満たされているか否かに基づき、前記傾き検出部が検出する前記表示面の傾き度合いに応じた、前記表示面における画像の方向の変更を行うか否かを決定する処理を実行させ、第２のモードにおいて、前記表示面における画像の方向の変更を行わせず、前記第１のモードにおいて、前記接触検出部がポインタの接触を検出した場合は当該接触における押圧力を示す指標値を特定し、前記指標値が予め定められた閾値以上の押圧力を示す場合、前記第２のモードに移行させるためのプログラムを提供する。
【国際調査報告】
2014030455.tif 000021
2014030455.tif 000022
2014030455.tif 000023
2014030455.tif 000024